(57)【要約】【課題】平坦かつ簡単な製造の容易な構造にして、ワンタッチで相手部品に確実に接合でき、かつ接合状態で脱着のための外力を加えない限りは強固で安定した接合状態を維持できるようにした挟持具を提供する。【解決手段】ベース部２と、ベース部２に突設した大径頭部３ａを有する少なくとも一つの係止突起３と、ベース部２の上縁から一体的に延設されたバネ部４と、バネ部４先端に一体的に形成され、前記係止突起３に係合する略ダルマ孔形状の係止孔６を有する係止片５とを備え、前記バネ部４を折返し湾曲させた状態で前記係止孔６の大径部６ａを前記係止突起３の大径頭部３ａに嵌合してなり、嵌合状態で前記係止片５と係止突起３との間で被挟持物を挟持する。【選択図】        図３
2004242926.tif 000002
【特許請求の範囲】
【請求項１】
ベース部と、ベース部に突設した少なくとも一つの係止突起と、ベース部の上縁から一体的に延設されたバネ部と、バネ部先端に一体的に形成された係止片と、係止片に形成した係止孔とを備え、前記バネ部を折返した状態で前記係止孔に前記係止突起を着脱自在に抜止め係止させるようにしたことを特徴とする挟持具。
【請求項２】
ベース部と、ベース部の中央位置に突設した大径頭部を有する少なくとも一つの係止突起と、ベース部の上縁から一体的に延設されたバネ部と、バネ部先端に一体的に形成され、前記係止突起に係合する略ダルマ孔形状の係止孔を有する係止片とを備え、前記バネ部を折返し湾曲させた状態で前記係止孔の大径部を前記係止突起の大径頭部にスライド嵌合してなり、嵌合状態で前記係止片と係止突起との間で被挟持物を挟持することを特徴とする挟持具。
【請求項３】
前記挟持具を構成するベース部、バネ部、及び係止片は、弾性を有する樹脂材料などの弾性素材により一体的に形成されているたことを特徴とする請求項１又は２記載の挟持具。
【発明の詳細な説明】
【０００１】
【発明の属する技術分野】
本発明は、例えば、外出する時に、小形の鞄などの携帯用具を吊り下げて携帯する吊り下げ形の挟持具に関する。本発明の挟持具は、卓上や壁面などにおいて書類などを挟持する整理用又は展示用の挟持具としても用いることが出来る。
【０００２】
【従来の技術】
鞄、ザック、バック、ポシェット、ポーチなどの携帯用具においては、これらに小物類を取付けたり、携帯用具そのものをベルトその他取付け対象物に取付けるための吊り下げ形の挟持具が設けられている。
この挟持具の構造形式として最も簡単なのは、雌雄の面ファスナであるが、面ファスナ同士の粘着性を利用した接合により結びつけておくものであるため、外力が加わった場合に外れやすく、確実な固定構造ではない。しかも取付け相手部品にも面ファスナが設けられていることが条件である。
また、紐、環などによる固定構造では、脱着が面倒であり、さらには樹脂弾性を利用したクリップのごとき挟持具では、平坦性に欠ける。
【０００３】
【発明が解決しようとする課題】
本発明は、以上の技術課題を克服するためになされたものであり、その目的は、平坦かつ製造の容易な簡単な構造にして、ワンタッチで被挟持物を確実に挟持でき、かつ挟持状態で脱着のための外力を加えない限りは、強固で安定した挟持状態を維持できるようにした挟持具を提供するものである。
【０００４】
【課題を解決するための手段】
前記目的を達成するため本発明の挟持具１は、図の実施の形態にも示したように、ベース部２と、ベース部２に突設した少なくとも一つの係止突起３と、ベース部２の上縁から一体的に延設されたバネ部４と、バネ部４先端に一体的に形成された係止片５と、係止片５に形成した係止孔６とを備え、前記バネ部４を折返した状態で前記係止孔６に前記係止突起３を着脱自在に抜止め係止させるようにしたことを特徴としている。
【０００５】
さらに、本発明の挟持具１は、ベース部２と、ベース部２に突設した大径頭部３ａを有する少なくとも一つの係止突起３と、ベース部２の上縁から一体的に延設されたバネ部４と、バネ部４先端に一体的に形成され、前記係止突起３に係合する略ダルマ孔形状の係止孔６を有する係止片５とを備え、前記バネ部４を折返し湾曲させた状態で前記係止孔６の大径部６ａを前記係止突起３の大径頭部３ａに嵌合してなり、嵌合状態で前記係止片５と係止突起３との間で被挟持物を挟持することを特徴としている。
【０００６】
上記挟持具１の全体、すなわち、ベース部２、係止突起３、バネ部４、及び係止片５は、弾性を有する樹脂材料やゴム板などの弾性素材による型成型若しくはプレス成型により一体的に形成されている。
【０００７】
【発明の実施の形態】
以下、本発明の好ましい実施の形態につき、添付図面を参照して詳細に説明する。図１〜図３は本発明に係る挟持具を示すものである。各図において、挟持具１は、全体が弾性を有する軟質合成樹脂またはゴムなどの弾性素材からなる平板状の射出若しくはプレス成形体である。挟持具１は、複数のリベット孔２ａを開口した所定厚みのベース部２と、ベース部２の中央位置に突出する一対の係止突起３と、ベース部２の中央上縁から一体に延設されたこれより厚みの薄い板状のバネ部４と、バネ部４の先端に一体化された所定厚みの係止片５と、係止片５に開口形成され、前記バネ部４を湾曲した状態で前記各係止突起３に嵌合される一対の係止孔６、及び、ベース部２の周縁にフランジ状に一体に形成されたこれより厚みの薄いクッション部７とを備えている。
【０００８】
前記係止突起３は、その先端の大径頭部３ａを残して両側が切欠き形成された軸部３ｂよりなる。また前記係止孔６は、その厚み方向を二等分して正面視で下部拡径した略ダルマ孔形状、背面視が略ダルマ孔の、大径部６ａと長孔よりなる小径部６ｂよりなり、大径部６ａは係止突起３の頭部３ａ寸法に相当し、ダルマ孔の小径部６ｂは切欠き軸部３ｂの幅寸法に相当する。
【０００９】
以上の挟持具１の結合手順としては、図３（ａ）に示すように、係止片５が立上がっている展開状態から、（ｂ）に示すようにバネ部４を湾曲させつつ係止孔６の大径部６ａを係止突起３の頭部３ａに位置決めしはめ込む。はめ込んだ状態では（ｃ）に示すようにバネ部４の略Ｕ形反発弾性により、係止片５は上方に戻ろうとする力が作用し、係止突起３の軸部３ｂと頭部３ａとの段差位置で移動し、係止孔６小径部６ｂが段差位置に位置する結果、確実に抜け止めされ、係止突起３と係止片５によって囲われるループにより取付け相手部品を挟持することができるのである。
なお、取外す場合には、バネ部４の弾性に抗して、大径部６ａを係止突起５の頭部３ａ位置に移動させれば、簡単に取外しできる。
【００１０】
図４は、以上の挟持具１の具体的使用例を示すものである。この挟持具１は、取付具１０の一側面に、リベット、鳩目などを介して固定され、取付具１０に、挟持具１を介して、被挟持物１２（例えば布製ザック）を脱着可能に取付けるものである。取付具１０は、ベルトなどに挟持具１を取り付ける為の部材である。挟持具１を、衣服の外面に取り付けるようにしても良い。
【００１１】
このため、被挟持物１２の側面には、合成樹脂製の取付けプレート１４が設けられ、かつこのプレート１４には、前記係止突起３を挿通する一対の鳩目孔１５が形成され、この孔１５に係止突起３を挿通してその先端をプレート１４の内側面に突出させ、この状態で係止片５を折返して係止孔６を係止突起３に嵌合すれば、この状態に抜け止めされ、取付具１０に確実に被挟持物１２を吊下げ連結できる。
また、必要に応じて取付具１０から被挟持物１２を取り外すには、前記操作とは逆の手順により簡単に取外しできる。
【００１２】
なお、以上の実施形態では、一例として、挟持具１を、被挟持物１２（例えば布製ザック）の吊り下げ挟持具として用いた場合を示したが、これのみに限定されるものでなく、他の小物類などのほか、例えば、バインダボードのバインダー等の事務用若しくは壁面展示用の挟持具としても適用可能である。
【００１３】
【発明の効果】
以上の説明により明らかなように、本発明による挟持具によれば、平坦かつ簡単な構造にして、ワンタッチで取付け相手に確実に接合でき、かつ接合状態で脱着のための外力を加えない限りは強固に接合状態を維持できる。
【００１４】
また、本発明によれば、挟持具を構成するベース部、バネ部、及び係止片を、弾性を有する樹脂材料やゴム板などの弾性素材による型成型若しくはプレス成型により一体的に形成しているので、その製造が容易で構造も簡単である。
【００１５】
さらに、バネ部は略Ｕ字形に弾性的に湾曲し、係止片をベース部に略Ｖ形に傾斜させるようにして係合させているので、被挟持物をベース部側に押し付けるようにして挟持し、ぶら下げ運搬時等における被挟持物のばたつき揺動を押さえることができる。
【図面の簡単な説明】
【図１】本発明に係る挟持具の正面図である。
【図２】図１のＡ−Ａ線における断面図である。
【図３】（ａ）〜（ｃ）は同挟持具の展開状態から連結状態を説明するための斜視図である。
【図４】同挟持具の具体的使用例を示す斜視図である。
【符号の説明】
１  挟持具
２  ベース部
３  係止突起、３ａ  頭部、３ｂ  軸部
４  バネ部
５  係止片
６  係止孔、６ａ  大径部、６ｂ  小径部
１０  取付具
１２  被挟持物
１４  プレート
１５  孔
【図１】
2004242926.tif 000003
【図２】
2004242926.tif 000004
【図３】
2004242926.tif 000005
【図４】
2004242926.tif 000006